(57)【特許請求の範囲】
【請求項１】
第１パネルと第２パネルとを連結具を介して開閉自在に連結してなる調理用油除けであって、
前記第１パネルは、
少なくとも一辺が直線状の第１の辺を有する第１のパネル本体と、
前記第１の辺に所定間隔の第１のスペースを介して形成された第１の一方縁巻及び第１の他方縁巻とを含み、
前記第２パネルは、
少なくとも一辺が直線状の第２の辺を有する第２のパネル本体と、
前記第２の辺に前記第１のスペースと同等の第２のスペースを介して形成された第２の一方縁巻及び第２の他方縁巻とを含み、
前記連結具は、
前記第１のスペースと前記第２のスペースとを対向させた状態で、各々の側面を当接させた前記第１の一方縁巻及び前記第２の一方縁巻の組並びに前記第１の他方縁巻及び前記第２の他方縁巻の組の少なくとも一方の組に対して、前記第１のスペース及び前記第２のスペースの側から各々の縁巻内部に挿入される可撓性且つ弾性を有する一対の脚部と、前記脚部を連結する連結部とを有し、
前記第１パネル及び前記第２パネルの各々の少なくともコーナー部には、縁巻が形成される、調理用油除け。
【請求項２】
第１パネルと第２パネルとを連結具を介して開閉自在に連結してなる調理用油除けであって、
前記第１パネルは、
少なくとも一辺が直線状の第１の辺を有する第１のパネル本体と、
前記第１の辺に所定間隔の第１のスペースを介して形成された第１の一方縁巻及び第１の他方縁巻とを含み、
前記第２パネルは、
少なくとも一辺が直線状の第２の辺を有する第２のパネル本体と、
前記第２の辺に前記第１のスペースと同等の第２のスペースを介して形成された第２の一方縁巻及び第２の他方縁巻とを含み、
前記連結具は、
前記第１のスペースと前記第２のスペースとを対向させた状態で、各々の側面を当接させた前記第１の一方縁巻及び前記第２の一方縁巻の組並びに前記第１の他方縁巻及び前記第２の他方縁巻の組の少なくとも一方の組に対して、前記第１のスペース及び前記第２のスペースの側から各々の縁巻内部に挿入される可撓性且つ弾性を有する一対の脚部と、前記脚部を連結する連結部とを有し、
前記連結具の前記脚部が挿入される縁巻の径は、被挿入側の開口端部に向かって先細りの形状を有する、調理用油除け。
【請求項３】
前記連結具の前記脚部の各々は、平行状態に対して端部に向かって広がる形状を有する、請求項１又は請求項２記載の調理用油除け。
【請求項４】
前記連結具の前記脚部の各々は屈曲し、端部に向かう部分は挿入時に縁巻内部に沿う形状を有する、請求項１又は請求項２記載の調理用油除け。
【請求項５】
前記連結具の前記脚部は棒形状を有し、その先端には前記脚部の径より外径が大きい球形状の突起体が形成される、請求項１又は請求項２記載の調理用油除け。
【請求項６】
前記第１のスペース及び前記第２のスペースの前記所定間隔は５〜１０ｍｍである、請求項１から請求項５のいずれかに記載の調理用油除け。
【発明の詳細な説明】
【技術分野】
【０００１】
この発明は調理用油除けに関し、特に調理を行う際にコンロの周囲やトッププレートの上に載置されて用いられる調理用油除けに関するものである。
【背景技術】
【０００２】
図２０は、特許文献１で開示された従来の台所用はね防止具の使用状態を示す斜視図である。
【０００３】
図を参照して、台所用はね防止具７１は、レンジ台６８に設置された加熱調理器６９の周囲に載置されて調理用油除けとして使用されるものであって、鋼板からなり、加熱調理器６９の左方側に位置するサイドガード板７５ａと、加熱調理器６９の後方側に位置するフロントガード板７２ａ及び７２ｂと、加熱調理器６９の右方側に位置するサイドガード板７５ｂとから構成される。
【０００４】
図２１は、図２０で示した台所用はね防止具の上部構造を示す分解斜視図である。
【０００５】
図を参照して、台所用はね防止具７１のサイドガード板７５ａの後方側の端縁には、円筒形状に折り返された軸受部７６が形成されている。フロントガード板７２ａの左方側の端縁には、円筒形状に折り返された軸受部７３が形成されている。
【０００６】
ヒンジ軸８２は、鉄又はアルミニウム等の金属棒からなり、その上部で連結された一対の平行な棒形状を有する軸部８３ａ及び８３ｂとから構成される。
【０００７】
連結に際して、このヒンジ軸８２の軸部８３ａをフロントガード板７２ａの軸受部７３の内部に、ヒンジ軸８２の軸部８３ｂをサイドガード板７５ａの軸受部７６の内部に、それぞれ上方から挿入する。これにより、台所用はね防止具７１のサイドガード板７５ａとフロントガード板７２ａとは、ヒンジ軸８２によって開閉自在に連結される。
【０００８】
図２２は、図２０で示した台所用はね防止具の下部構造を示す分解斜視図である。
【０００９】
ヒンジ軸８５は、鉄又はアルミニウム等の金属棒からなり、一対の平行な棒形状を有する軸部８７ａ及び８７ｂと、軸部８７ａの下部と軸部８７ｂの下部とに連結されて、軸部８７ａ及び８７ｂに対して垂直な方向で略Ｕの字形状を有する支持部８６とから構成される。
【００１０】
連結に際して、このヒンジ軸８５の軸部８７ａをフロントガード板７２ａの軸受部７３の内部に、ヒンジ軸８５の軸部８７ｂをサイドガード板７５ａの軸受部７６の内部に、それぞれ下方から挿入する。これにより、台所用はね防止具７１のサイドガード板７５ａとフロントガード板７２ａとは、ヒンジ軸８５によって、より安定して開閉自在に連結される。
【００１１】
ここで、図２０を参照して、フロントガード板７２ｂとサイドガード板７５ｂとは、フロントガード板７２ａとサイドガード板７５ａと同様にして構成されている。そして、フロントガード７２ａとフロントガード７２ｂとは、各々に形成されたスリット８８ａ及び８８ｂに連結金具９０を介してネジ８９ａ及び８９ｂと図示しないボルトによって固定されている。
【００１２】
使用に際して、図２０を参照して、台所用はね防止具７１をレンジ台６８の上に載置するとき、ヒンジ軸８５の支持部８６の底面がレンジ台６８に当接するため、台所用はね防止具７１を安定して載置できるようになっている。
【先行技術文献】
【特許文献】
【００１３】
【特許文献１】特開平９−２１０３７５号公報
【発明の概要】
【発明が解決しようとする課題】
【００１４】
上記のような従来の台所用はね防止具７１においては、図２１を参照して、ヒンジ軸８２は移動しやすいので軸受部７３及び軸受部７６に固定されにくく、ヒンジ軸８２が外れてしまう虞があった。
【００１５】
又、図２２を参照して、台所用はね防止具７１のヒンジ軸８５は、ヒンジ軸８２と同様に軸受部７３及び軸受部７６に固定されにくく、特に持ち上げ時等にヒンジ軸８５が外れてしまう虞があった。
【００１６】
更に、図２０を参照して、台所用はね防止具７１のサイドガード板７５ａとフロントガード板７２ａとが連結するコーナー部において、ヒンジ軸８２及びヒンジ軸８５が露出しているので、安全性に欠ける虞があった。更に、コーナー部において、サイドガード板７５ａ及びフロントガード板７２ａの端縁の端部が露出しているので、安全性に欠ける虞があった。
【００１７】
この発明は、上記のような課題を解決するためになされたもので、調理用油除けの連結状態の信頼性が向上すると共に、取り扱い時の安全性が向上する調理用油除けを提供することを目的とする。
【課題を解決するための手段】
【００１８】
上記の目的を達成するために、請求項１記載の発明は、第１パネルと第２パネルとを連結具を介して開閉自在に連結してなる調理用油除けであって、第１パネルは、少なくとも一辺が直線状の第１の辺を有する第１のパネル本体と、第１の辺に所定間隔の第１のスペースを介して形成された第１の一方縁巻及び第１の他方縁巻とを含み、第２パネルは、少なくとも一辺が直線状の第２の辺を有する第２のパネル本体と、第２の辺に第１のスペースと同等の第２のスペースを介して形成された第２の一方縁巻及び第２の他方縁巻とを含み、連結具は、第１のスペースと第２のスペースとを対向させた状態で、各々の側面を当接させた第１の一方縁巻及び第２の一方縁巻の組並びに第１の他方縁巻及び第２の他方縁巻の組の少なくとも一方の組に対して、第１のスペース及び第２のスペースの側から各々の縁巻内部に挿入される可撓性且つ弾性を有する一対の脚部と、脚部を連結する連結部とを有し、第１パネル及び第２パネルの各々の少なくともコーナー部には、縁巻が形成されるものである。
【００１９】
このように構成すると、連結部の一部が第１のスペース及び第２のスペースに位置する。又、コーナー部が縁巻で保護される。
【００２０】
請求項２記載の発明は、第１パネルと第２パネルとを連結具を介して開閉自在に連結してなる調理用油除けであって、第１パネルは、少なくとも一辺が直線状の第１の辺を有する第１のパネル本体と、第１の辺に所定間隔の第１のスペースを介して形成された第１の一方縁巻及び第１の他方縁巻とを含み、第２パネルは、少なくとも一辺が直線状の第２の辺を有する第２のパネル本体と、第２の辺に第１のスペースと同等の第２のスペースを介して形成された第２の一方縁巻及び第２の他方縁巻とを含み、連結具は、第１のスペースと第２のスペースとを対向させた状態で、各々の側面を当接させた第１の一方縁巻及び第２の一方縁巻の組並びに第１の他方縁巻及び第２の他方縁巻の組の少なくとも一方の組に対して、第１のスペース及び第２のスペースの側から各々の縁巻内部に挿入される可撓性且つ弾性を有する一対の脚部と、脚部を連結する連結部とを有し、連結具の脚部が挿入される縁巻の径は、被挿入側の開口端部に向かって先細りの形状を有するものである。
【００２１】
このように構成すると、脚部が縁巻から抜けにくくなる。
【００２２】
請求項３記載の発明は、請求項１又は請求項２記載の発明の構成において、連結具の脚部の各々は、平行状態に対して端部に向かって広がる形状を有するものである。
【００２３】
このように構成すると、脚部は挿入状態において縁巻内部を押圧するように付勢される。
【００２４】
請求項４記載の発明は、請求項１又は請求項２記載の発明の構成において、連結具の脚部の各々は屈曲し、端部に向かう部分は挿入時に縁巻内部に沿う形状を有するものである。
【００２５】
このように構成すると、脚部は挿入状態において縁巻内部の接触範囲が増加する。
【００２６】
請求項５記載の発明は、請求項１又は請求項２記載の発明の構成において、連結具の脚部は棒形状を有し、その先端には脚部の径より外径が大きい球形状の突起体が形成されるものである。
【００２７】
このように構成すると、脚部の引き抜き時の抵抗が増大する。
【００２８】
請求項６記載の発明は、請求項１から請求項５のいずれかに記載の発明の構成において、第１のスペース及び第２のスペースの所定間隔は５〜１０ｍｍであるものである。
【発明の効果】
【００３０】
以上説明したように、請求項１記載の発明は、連結部の一部が第１のスペース及び第２のスペースに位置するため、連結具が不用意に移動しないので連結状態の信頼性が向上する。又、コーナー部が縁巻で保護されるため、取り扱い時の安全性が向上する。
【００３１】
請求項２記載の発明は、請求項１記載の発明の効果に加えて、脚部が縁巻から抜けにくくなるため、連結状態の信頼性がより向上する。
【００３２】
請求項３記載の発明は、請求項１又は請求項２記載の発明の効果に加えて、脚部は挿入状態において縁巻内部を押圧するように付勢されるため、連結状態の信頼性がより向上する。
【００３３】
請求項４記載の発明は、請求項１又は請求項２記載の発明の効果に加えて、脚部は挿入状態において縁巻内部の接触範囲が増加するため、連結状態の信頼性がより向上する。
【００３４】
請求項５記載の発明は、請求項１又は請求項２記載の発明の効果に加えて、脚部の引き抜き時の抵抗が増大するため、連結状態の信頼性がより向上する。又、突起体は球形状を有しているので、連結具の取り扱い時の安全性が向上する。
【図面の簡単な説明】
【００３６】
【図１】この発明の第１の実施の形態による調理用油除けの使用状態を示す概略斜視図である。
【図２】図１で示した“Ｘ”部分の概略拡大図であって、調理用油除けの連結状態を示す図である。
【図３】図１で示した調理用油除けの連結具の概略正面図である。
【図４】図３で示した連結具の概略背面図である。
【図５】図３で示した連結具の概略右側面図である。
【図６】図１で示した調理用油除けの第１パネルの概略正面図である。
【図７】図６で示したＶＩＩ−ＶＩＩラインから見た概略拡大端面図である。
【図８】図１で示した調理用油除けの第２パネルの概略正面図である。
【図９】図１で示した調理用油除けの成形途中の状態であって、金型でプレス成形した直後の状態を示す概略正面図である。
【図１０】図１で示した調理用油除けの連結具を用いて第１パネルと第２パネルとを連結する工程を示す概略正面図である。
【図１１】図１０の（３）で示したＸＩ−ＸＩラインから見た概略拡大断面図である。
【図１２】この発明の第２の実施の形態による調理用油除けの連結具を示す概略正面図であって、図３に対応した図である。
【図１３】図１２で示した連結具の概略右側面図であって、図５に対応した図である。
【図１４】図１２で示した調理用油除けの連結具を用いて第１パネルと第２パネルとを連結する工程を示す概略正面図であって、図１０の（２）及び（３）に対応した図である。
【図１５】この発明の第３の実施の形態による調理用油除けの連結具を示す概略正面図であって、図３に対応した図である。
【図１６】図１５で示した連結具の概略右側面図であって、図５に対応した図である。
【図１７】図１５で示した調理用油除けの連結具を用いて第１パネルと第２パネルとを連結する工程を示す概略正面図であって、図１０の（２）及び（３）に対応した図である。
【図１８】この発明の第４の実施の形態による調理用油除けを示す概略正面図であって、図１０の（１）及び（３）に対応した図である。
【図１９】図１８の（２）で示したＸＩＸ−ＸＩＸラインから見た概略拡大端面図である。
【図２０】特許文献１で開示された従来の台所用はね防止具の使用状態を示す斜視図である。
【図２１】図２０で示した台所用はね防止具の上部構造を示す分解斜視図である。
【図２２】図２０で示した台所用はね防止具の下部構造を示す分解斜視図である。
【発明を実施するための形態】
【００３７】
図１は、この発明の第１の実施の形態による調理用油除けの使用状態を示す概略斜視図であり、図２は、図１で示した“Ｘ”部分の概略拡大図であって、調理用油除けの連結状態を示す図である。
【００３８】
これらの図を参照して、調理用油除け１１は、調理を行う際にビルトインコンロ１のトッププレート２のバーナー部３の周囲に載置されて調理用油除けとして使用されるものであって、バーナー部３の後方側に位置する第１パネル２１と、バーナー部３の右方側に位置する第２パネル５１ａと、バーナー部３の左方側に位置する第２パネル５１ｂと、第２パネル５１ａと第１パネル２１とを開閉自在に連結する連結具４１ａ及び４１ｂと、第２パネル５１ｂと第１パネル２１とを開閉自在に連結する連結具４１ｃ及び４１ｄとから構成される。
【００３９】
尚、第２パネル５１ｂは、第２パネル５１ａと同一の構成であるので、後述する詳細な説明では繰り返さない。又、連結具４１ｂ〜４１ｄは、連結具４１ａと同一の構成であるので、後述する詳細な説明では繰り返さない。
【００４０】
まず、調理用油除け１１の連結具４１について説明する。
【００４１】
図３は、図１で示した調理用油除けの連結具の概略正面図であり、図４は、図３で示した連結具の概略背面図であり、図５は、図３で示した連結具の概略右側面図である。
【００４２】
これらの図を参照して、調理用油除け１１の連結具４１は、ステンレスバネ鋼のように可撓性且つ弾性を有して、平行状態に対して端部（図３の底面）に向かって広がる丸棒形状からなる一対の脚部４３ａ及び４３ｂと、脚部４３ａの上部と脚部４３ｂの上部とにその両端が各々接続された略Ｕの字形状を正面側に折り返して形成され、脚部４３ａ及び４３ｂを連結する連結部４６とからなる。このように構成した理由については後述する。尚、ここでは、連結具４１の高さＨ１は４０．５２ｍｍに、連結具４１の連結部４６の高さＨ２は９．９５ｍｍに、連結具４１の脚部４３ａ及び４３ｂの高さＨ３は３０．５７ｍｍに、連結具４１の連結部４６の上部の間隔Ｌ１は３．６０ｍｍに、連結具４１の脚部４３ａ及び４３ｂの上部の間隔Ｌ２は２．５０ｍｍに、連結具４１の脚部４３ａ及び４３ｂの下部の間隔Ｌ３は１９．４７ｍｍに、連結具４１の連結部４６の折り返した間隔Ｌ４は３．６０ｍｍに、丸棒形状の連結具４１の径Ｄ１は１．２ｍｍに各々設定されている。
【００４３】
次に、調理用油除け１１の第１パネル２１について説明する。
【００４４】
図６は、図１で示した調理用油除けの第１パネルの概略正面図であり、図７は、図６で示したＶＩＩ−ＶＩＩラインから見た概略拡大端面図である。
【００４５】
これらの図を参照して、調理用油除け１１の第１パネル２１は、アルミ箔からなり、略矩形形状を有して、その表面に複数の略矩形形状からなる凹凸模様３４が形成された第１のパネル本体２３と、第１のパネル本体２３の上方の全外縁と、右方上方の外縁と、左方上方の外縁とにおいて円筒形状に折り返して形成された第１の一方縁巻２６と、第１のパネル本体２３の右方中央の外縁において円筒形状に折り返して形成された第１の他方縁巻２８ａと、第１のパネル本体２３の左方中央の外縁において円筒形状に折り返して形成された第１の他方縁巻２８ｂと、第１のパネル本体２３の下方の全外縁と、右方下方の外縁と、左方下方の外縁とにおいて円筒形状に折り返して形成された第１の一方縁巻３０とから構成される。ここでは、第１のパネル本体２３の厚さＷは、２００μｍに設定されている。又、第１の他方縁巻２８ａの内径Ｄ２は、第１の他方縁巻２８ｂ、第１の一方縁巻２６及び第１の一方縁巻３０と同様に、図５で示した連結具４１の径Ｄ１よりも大きくなるように設定されている。このように構成した理由については後述する。
【００４６】
第１パネル２１の第１のパネル本体２３の右辺となる直線状の第１の辺２４ａには、所定間隔ＨＤの第１のスペース２７ａを介して形成された第１の一方縁巻２６及び第１の他方縁巻２８ａと、他方縁巻２８ａと所定間隔ＨＤの第１のスペース２９ａを介して形成された第１の一方縁巻３０とが形成されている。
【００４７】
第１パネル２１の第１のパネル本体２３の左辺となる直線状の第１の辺２４ｂには、第１の辺２４ａと左右対称にして、所定間隔ＨＤの第１のスペース２７ｂを介して形成された第１の一方縁巻２６及び第１の他方縁巻２８ｂと、第１の他方縁巻２８ｂと所定間隔ＨＤの第１のスペース２９ｂを介して形成された第１の一方縁巻３０とが形成されている。尚、所定間隔ＨＤは、図３で示した連結具４１の高さＨ１よりも小さく設定されている。ここでは、所定間隔ＨＤは、５〜１０ｍｍ程度に設定されることが好ましい。
【００４８】
又、第１の一方縁巻２６は、第１のパネル本体２３の右辺から上辺を介して左辺まで一続きに形成されている。第１の一方縁巻３０は、第１のパネル本体２３の右辺から下辺を介して左辺まで一続きに形成されている。
【００４９】
これにより、第１パネル２１のコーナー部３２ａ及び３２ｃには、第１の一方縁巻２６が形成される。又、第１パネル２１のコーナー部３２ｂ及び３２ｄには、第１の一方縁巻３０が形成される。よって、調理用油除け１１の第１パネル２１のコーナー部３２ａ〜３２ｄは第１の一方縁巻２６及び第１の一方縁巻３０で保護されることになり、取り扱い時の安全性が向上する。
【００５０】
又、第１のパネル本体２３の表面には複数の凹凸模様３４が形成されているので、凹凸模様３４がないものと比べて、曲げ剛性が向上したものになっている。
【００５１】
図８は、図１で示した調理用油除けの第２パネルの概略正面図である。
【００５２】
尚、第２パネル５１ａは、図６で示した第１パネル２１と基本的な構成は同一である。ここでは、その相違点を中心に説明する。
【００５３】
調理用油除け１１の第２パネル５１ａは、図６で示した第１パネル２１の第１の辺２４ａを一続きの縁巻のみにしたものに対応する。第２パネル５１ａの第２のパネル本体５３の左辺となる直線状の第２の辺５４には、所定間隔ＨＤの第２のスペース５７を介して形成された第２の一方縁巻５６及び第２の他方縁巻５８と、第２の他方縁巻５８の下方に所定間隔ＨＤの第２のスペース５９を介して形成された第２の一方縁巻５６とが形成されている。
【００５４】
尚、この所定間隔ＨＤは、図６で示した第１パネル２１と同様に、図３で示した連結具４１の高さＨ１よりも小さく設定されている。ここでは、所定間隔ＨＤは、５〜１０ｍｍ程度に設定されることが好ましい。
【００５５】
又、第２の一方縁巻５６は、第２のパネル本体５３の左辺上方から上辺、右辺、下辺を介して左辺下方まで一続きに形成されている。
【００５６】
即ち、第２パネル５１ａのコーナー部６２ａ〜６２ｄには、第２の一方縁巻５６が形成される。よって、調理用油除け１１の第２パネル５１ａのコーナー部６２ａ〜６２ｄは第２の一方縁巻５６で保護されることになり、取り扱い時の安全性が向上する。
【００５７】
又、第２のパネル本体５３の表面には複数の凹凸模様６４が形成されているので、曲げ剛性が向上している。
【００５８】
図９は、図１で示した調理用油除けの成形途中の状態であって、金型でプレス成形した直後の状態を示す概略正面図である。
【００５９】
この調理用油除け１１の第１パネル２１の第１のパネル本体２３の外周部を、二点鎖線で示した位置が外縁になるように、円筒形状に折り返すことで縁巻が形成される。これにより、図６で示した、第１のスペース２７ａ及び２７ｂと第１のスペース２９ａ及び２９ｂとを有する調理用油除け１１の第１パネル２１が形成される。
【００６０】
図１０は、図１で示した調理用油除けの連結具を用いて第１パネルと第２パネルとを連結する工程を示す概略正面図であって、図１０の（３）は図１０の（１）の“Ｙ”部分の概略拡大図であり、図１１は、図１０の（３）で示したＸＩ−ＸＩラインから見た概略拡大断面図である。
【００６１】
連結に際して、まず、図１０の（１）を参照して、実線の矢印で示した方向に、第１のスペース２７ａと第２のスペース５７とを対向させて、同様に、第１のスペース２９ａと第２のスペース５９とを対向させて、第１パネル２１の右側面と第２パネル５１ａの左側面とを当接させる。これにより、第１パネル２１の第１の一方縁巻２６の外縁と第２パネル５１ａの上方に位置する第２の一方縁巻５６の外縁とが、第１パネル２１の第１の他方縁巻２８ａの外縁と第２パネル５１ａの第２の他方縁巻５８の外縁とが、第１パネル２１の第１の一方縁巻３０の外縁と第２パネル５１ａの下方に位置する第２の一方縁巻５６の外縁とが、各々当接状態となる。
【００６２】
ここで、図１０の（２）を参照して、調理用油除け１１の連結具４１ａの脚部４３ａ及び４３ｂを、二点鎖線で示した元の状態から、実線の矢印で示した方向へ撓ませる。
【００６３】
次に、図１０の（３）及び図１１を参照して、二点鎖線で示したように連結具４１ａを撓ませた状態のままで、実線の矢印の方向へ、第１のスペース２７ａ及び第２のスペース５７の側から、連結具４１ａの脚部４３ａを第１の他方縁巻２８ａの内部に、連結具４１ａの脚部４３ｂを第２の他方縁巻５８の内部に、各々挿入する。その際、図１１で示したように連結具１１を斜めに傾けた状態で挿入する。このように挿入した連結具４１ａにおいて連結部４６の一部は第１のスペース２７ａ及び第２のスペース５７に位置するので、連結具４１ａが不用意に移動したり、又は、脱落したりしなくなり、連結具４１ａを介した第１パネル２１と第２パネル５１ａとの連結状態の信頼性が向上する。
【００６４】
又、連結具４１ａは、平行状態に対して端部に向かって広がった形状であり、弾性を有しており、図１０の（２）を参照して、実線で示した脚部４３ａ及び４３ｂの状態から、二点鎖線で示した脚部４３ａ及び４３ｂの状態へと戻ろうとする。これにより、図１０の（３）で示した連結具４１ａの脚部４３ａ及び４３ｂは挿入状態において、第１の他方縁巻２８ａの内部及び第２の他方縁巻５８の内部を押圧するように付勢されることになるので、連結具４１ａは抜けにくくなり、連結状態の信頼性がより向上する。
【００６５】
尚、図７で示したように第１の他方縁巻２８ａ及び第２の他方縁巻５８の径Ｄ２は、図５で示したように丸棒形状を有する脚部４３ａ及び４３ｂの径Ｄ１より大きく形成されているため、脚部４３ａ及び４３ｂが第１の他方縁巻２８ａ及び第２の他方縁巻５８の内部に各々挿入できるようになっている。ここで、第１の他方縁巻２８ａ及び第２の他方縁巻５８の径Ｄ２を、脚部４３ａ及び４３ｂの径Ｄ１に近づけると、押圧する力が強まり、連結具４１ａは第１の他方縁巻２８ａ及び第２の他方縁巻５８からより抜けにくくなる。
【００６６】
連結具４１ｂは、連結具４１ａと同様にして、第１の他方縁巻２８ａ及び第２の他方縁巻５８に挿入されている。尚、連結具４１ｂは、連結具４１ａと同様にして、第１の一方縁巻３０及び下方に位置する第２の一方縁巻５６に挿入されても良い。この場合、連結具４１ｂは、下方に向かって第１の一方縁巻３０及び第２の一方縁巻５６に挿入されることになるので、自重が働き、より一層抜けにくくなる。
【００６７】
図１２は、この発明の第２の実施の形態による調理用油除けの連結具を示す概略正面図であって、図３に対応した図であり、図１３は、図１２で示した連結具の概略右側面図であって、図５に対応した図である。
【００６８】
尚、この第２の実施の形態による調理用油除け１２は、図１で示した第１の実施の形態による調理用油除け１１と基本的な構成は同一である。ここでは、その相違点を中心に説明する。
【００６９】
これらの図を参照して、調理用油除け１２の連結具４１における脚部４３ａ及び４３ｂの各々は、連結部４６と連結する部分から高さＨ４の位置で、内方側へ屈曲している。このように構成した理由については後述する。尚、ここでは、脚部４３ａ及び４３ｂにおいて、屈曲した端部に向かう部分４４ａ及び４４ｂの高さＨ５は、脚部４３ａ及び４３ｂの高さがＨ３となるように設定されている。
【００７０】
図１４は、図１２で示した調理用油除けの連結具を用いて第１パネルと第２パネルとを連結する工程を示す概略正面図であって、図１０の（２）及び（３）に対応した図である。
【００７１】
図１４の（１）を参照して、調理用油除け１２の連結具４１ａにおける脚部４３ａの部分４４ａと、脚部４３ｂの部分４４ｂとが、平行状態となるように、二点鎖線で示した元の状態から実線の矢印の方向へ撓ませる。
【００７２】
次に、図１４の（２）を参照して、部分４４ａ及び４４ｂを平行状態にしたままで、連結具４１ａの脚部４３ａ（部分４４ａ）を第１の他方縁巻２８ａに、連結具４１ａの脚部４３ｂ（部分４４ｂ）を第２の他方縁巻５８に、各々挿入する。このとき、破線で示したように、連結具４１ａの部分４４ａ及び４４ｂの外縁が、第１の他方縁巻２８ａ及び第２の他方縁巻５８の内部に各々当接している。よって、脚部４３ａ及び４３ｂは挿入状態において第１の他方縁巻２８ａ及び第２の他方縁巻５８の内部の接触範囲が増加することになるので、連結状態の信頼性がより向上することになる。
【００７３】
尚、調理用油除け１２の連結具４１において部分４４ａ及び４４ｂは挿入時に第１の他方縁巻２８ａ及び第２の他方縁巻５８の内部に沿う形状に形成されており、図１２で示した部分４４ａ及び４４ｂの高さＨ５を長くすることで、第１の他方縁巻２８ａ及び第２の他方縁巻５８の内部の接触範囲を更に増加させることができ、連結状態の信頼度を調整することが可能である。
【００７４】
図１５は、この発明の第３の実施の形態による調理用油除けの連結具を示す概略正面図であって、図３に対応した図であり、図１６は、図１５で示した連結具の概略右側面図であって、図５に対応した図である。
【００７５】
尚、この第３の実施の形態による調理用油除け１３は、図１で示した第１の実施の形態による調理用油除け１１と基本的な構成は同一である。ここでは、その相違点を中心に説明する。
【００７６】
これらの図を参照して、調理用油除け１３の連結具４１は、脚部４３ａ及び４３ｂの先端に、脚部４３ａ及び４３ｂの径Ｄ１よりも外径Ｄ３が大きい球形状の突起体４８ａ及び４８ｂが例えば溶接等により各々接続されている。
【００７７】
図１７は、図１５で示した調理用油除けの連結具を用いて第１パネルと第２パネルとを連結する工程を示す概略正面図であって、図１０の（２）及び（３）に対応した図である。
【００７８】
図１７の（１）を参照して、調理用油除け１３の連結具４１ａにおける脚部４３ａ及び４３ｂを、二点鎖線で示した元の状態から、実線の矢印の方向へ撓ませる。
【００７９】
次に、図１７の（２）を参照して、連結具４１ａの脚部４３ａ及び４３ｂを第１の他方縁巻２８ａ及び第２の他方縁巻５８に各々挿入する。このとき、図１５で示したように突起体４８ａ及び４８ｂの外径Ｄ３は脚部４３ａ及び４３ｂの径Ｄ１よりも大きいため、脚部４３ａ及び４３ｂの引き抜き時の抵抗が増大する。よって、連結状態の信頼性がより向上することになる。
【００８０】
又、連結具４１ａにおいて脚部４３ａ及び４３ｂの先端に接続された突起体４８ａ及び４８ｂは、球形状を有しているので、連結具４１ａの取り扱い時の安全性が向上する。
【００８１】
図１８は、この発明の第４の実施の形態による調理用油除けを示す概略正面図であって、図１０の（１）及び（３）に対応した図であり、図１９は、図１８の（２）で示したＸＩＸ−ＸＩＸラインから見た概略拡大端面図である。
【００８２】
尚、この第４の実施の形態による調理用油除け１４は、図１で示した第１の実施の形態による調理用油除け１１と基本的な構成は同一である。ここでは、その相違点を中心に説明する。
【００８３】
図１８の（１）を参照して、調理用油除け１４の第１パネル２１及び第２パネル５１ａにおいて、第１の他方縁巻２８ａ及び２８ｂと第２の他方縁巻５８が、各々の端部に向かって先細りの形状を有している。
【００８４】
図１８の（２）及び図１９を参照して、図１で示したものと同一の連結具４１ａの脚部４３ａ及び４３ｂが挿入された状態である。このとき、第１の他方縁巻２８ａの端部は先細りの形状であるので、被挿入側の開口３５が形成された端部付近における第１の他方縁巻２８ａの径Ｄ４は、端部以外における図７で示した第１の他方縁巻２８ａの径Ｄ２より小さくなっている。同様に、被挿入側の開口３６が形成された端部付近における第２の他方縁巻５８の径Ｄ４は、端部以外における第２の他方縁巻５８の径Ｄ２より小さくなっている。尚、ここでは、端部以外における第１の他方縁巻２８ａの径Ｄ２は３ｍｍに、端部付近における第１の他方縁巻２８ａの径Ｄ４は２ｍｍ（径Ｄ２の２／３倍）に、第１の他方縁巻２８ａの先細りの長さＬＴは１５ｍｍに、各々設定されている。
【００８５】
これにより、連結具４１ａの脚部４３ａ及び４３ｂが第１の他方縁巻２８ａ及び第２の他方縁巻５８から抜けにくくなり、連結状態の信頼性がより向上したものとなっている。
【００８６】
尚、この調理用油除け１４においては、図１で示した第１の実施の形態によるものと同一の連結具４１ａであったが、図１５で示した第３の実施の形態による連結具４１を用いると、突起体４８ａ及び４８ｂの径Ｄ３は、脚部４３ａ及び４３の径Ｄ１よりも大きく、且つ、第１の他方縁巻２８ａ及び第２の他方縁巻５８の径Ｄ４に近づくことになるので、より抜けにくいものとなる。
【００８７】
尚、上記の各実施の形態では、調理用油除けは、調理を行う際にビルトインコンロのトッププレートのバーナー部の周囲に載置されて用いられるものであったが、調理用油除けとして用いられるものであれば、例えばトッププレートの周囲等のように他の場所に載置されて用いられるものであっても良い。
【００８８】
又、上記の各実施の形態では、連結具の脚部は、特定の形状及び素材を有するものであったが、縁巻内部に挿入される可撓性且つ弾性を有する一対のものであれば他の形状及び素材であっても良い。
【００８９】
更に、上記の各実施の形態では、連結具の連結部は、特定の形状及び素材を有するものであったが、一対の脚部を連結するものであれば、他の形状及び素材であっても良い。
【００９０】
更に、上記の各実施の形態では、第１パネル及び第２パネルは、特定の素材から形成されたものであったが、例えばティンフリースチール（ＴＦＳ）等のスチールや鉄板等のように他の素材から形成されたものであっても良い。又、調理用油から第１パネル及び第２パネルを保護して、調理用油を落としやすくするために、第１パネル及び第２パネルの表面にフッ素樹脂加工等が施されてあっても良い。
【００９１】
更に、上記の各実施の形態では、第１パネル及び第２パネルは、特定の厚さで形成されたものであったが、他の厚さで形成されたものであっても良い。
【００９２】
更に、上記の各実施の形態では、第１パネルの第１のパネル本体は、特定の形状から形成されたものであったが、少なくとも一辺が直線状の第１の辺を有して、その第１の辺に所定間隔の第１のスペースを介して形成された第１の一方縁巻及び第１の他方縁巻を含むものであれば、他の形状から形成されたものであっても良い。
【００９３】
更に、上記の各実施の形態では、第２パネルの第２のパネル本体は、特定の形状から形成されたものであったが、少なくとも一辺が直線状の第２の辺を有して、その第２の辺に所定間隔の第２のスペースを介して形成された第２の一方縁巻及び第２の他方縁巻を含むものであれば、他の形状から形成されたものであっても良い。
【００９４】
更に、上記の各実施の形態では、第１パネル及び第２パネルの外縁には、第１のスペース及び第２のスペースを除いて全周に縁巻が形成されていたが、第１のスペース及び第２のスペースを形成する縁巻きがあれば、その他の全周には縁巻は形成されていなくても良い。又、第１パネル及び第２パネルのコーナー部には、縁巻が形成されていたが、縁巻は形成さていなくても良い。
【００９５】
更に、上記の各実施の形態では、連結具は、第１パネルと第２パネルとを連結するために２個用いられていたが、１個のみ用いられたものであっても良い。この場合、連結具の脚部の長さを大きくすることで、連結状態の信頼性を向上させることができる。又、連結具は、３個以上用いられていても良い。
【００９６】
更に、上記の各実施の形態では、連結具の脚部は、特定の縁巻に挿入されるものであったが、第１のスペースと第２のスペースとを対向させた状態で、各々の側面を当接させた第１の一方縁巻及び第２の一方縁巻の組並びに第１の他方縁巻及び第２の他方縁巻の組の少なくとも一方の組に対して、第１のスペース及び第２のスペースの側から各々の縁巻内部に挿入されるものであれば良い。
【００９７】
更に、第３の実施の形態では、突起体は、径が一定の球形状であったが、脚部の径よりも外径（最大幅の寸法）が大きいものであれば、径が一定ではない形状であっても良い。
【００９８】
更に、上記の各実施の形態では、調理用油除けは、３枚のパネルで構成されるものであったが、２枚のパネルや４枚以上のパネルで構成されていても良い。
【００９９】
更に、上記の各実施の形態では、調理用油除けとして用いられるものであったが、本願発明は、調理用油除け以外のパネル構造にも適用できる。
【０１００】
更に、上記の各実施の形態では、スペースの所定間隔は、特定の範囲にある値であったが、それ以外の範囲にある値であっても良い。
【０１０１】
更に、第４の実施の形態では、縁巻の径及び先細り長さは、特定の値であったが、それ以外の値であっても良い。
【符号の説明】
【０１０２】
１１〜１４…調理用油除け
２１…第１のパネル
２３…第１のパネル本体
２４…第１の辺
２６…第１の一方縁巻
２７…第１のスペース
２８…第１の他方縁巻
２９…第１のスペース
３０…第１の一方縁巻
３２…コーナー部
３５…開口
３６…開口
４１…連結具
４３…脚部
４４…部分
４６…連結部
４８…突起体
５１…第２パネル
５３…第２のパネル本体
５４…第２の辺
５６…第２の一方縁巻
５７…第２のスペース
５８…第２の他方縁巻
５９…第２のスペース
６２…コーナー部
尚、各図中同一符号は同一又は相当部分を示す。
【図１】
0006472207.tif 000002
【図２】
0006472207.tif 000003
【図３】
0006472207.tif 000004
【図４】
0006472207.tif 000005
【図５】
0006472207.tif 000006
【図６】
0006472207.tif 000007
【図７】
0006472207.tif 000008
【図８】
0006472207.tif 000009
【図９】
0006472207.tif 000010
【図１０】
0006472207.tif 000011
【図１１】
0006472207.tif 000012
【図１２】
0006472207.tif 000013
【図１３】
0006472207.tif 000014
【図１４】
0006472207.tif 000015
【図１５】
0006472207.tif 000016
【図１６】
0006472207.tif 000017
【図１７】
0006472207.tif 000018
【図１８】
0006472207.tif 000019
【図１９】
0006472207.tif 000020
【図２０】
0006472207.tif 000021
【図２１】
0006472207.tif 000022
【図２２】
0006472207.tif 000023